(57)【特許請求の範囲】
【請求項１】
少なくとも１個の横枝管継手口を有するとともに、上部に立て管を接続する立て管継手部を有して形成され、
前記立て管継手部の外周面に、少なくとも２個の駒状の耳状片が、管軸に対して相対する位置に、水平方向に突起するように形成され、
前記立て管継手部の上端部には前記耳状片に連接された径大部が形成され、前記耳状片の外周縁は前記径大部より外方に突出して形成されていることを特徴とする集合管継手。
【発明の詳細な説明】
【０００１】
【発明の属する技術分野】
この発明は、立て管及び横枝管を接続する集合管継手に関する。
【０００２】
【従来の技術】
一般に、中・高層集合住宅における排水立て管や排水横枝管は、その接合部において、排水管継手に接続されている。排水管継手に接続した立て管を設置する際、立て管の真直度を出すために立て管の位置決めを行なった後で、埋め戻し作業が一般的に行なわれている。埋め戻し作業においては、立て管の真直度を維持するように立て管を支持しなければならず、そのために従来では、図７に示すように、立て管５に立てバンド５１を巻きつけ、立てバンド取り付け具５２を介して壁にアンカボルト５３で止着したり、図８に示すように、コンクリートスラブ２の下面に固定された一般形鋼５５を略「ひ」状に形成して、一般形鋼５５の側面部に当接させた立て管５をＵボルト５６で止着するようにして位置決めまたは管の振れ止めを行なっていた。
【０００３】
【発明が解決しようとする課題】
しかし、立て管５自体を立てバンド５１やＵボルト５６で止着することは、排水中に立て管の伸縮によるきしみ音が発生する原因となっていたり、また、スラブ２の下方で立てバンド取り付け具を壁に装着したり、一般形鋼をスラブ下面に装着することは、階下のスラブから作業台あるいは脚立を設置して上向きに作業をしなければならないので、その作業に極めて手間がかかり、結果的にコストを高くしていた。
【０００４】
この発明は、上述の課題を解決するものであり、その目的は、手間のかからない作業で容易に行なえる管継手の支持方法を提供することであり、そのために、改良された管継手を提供することである。
【０００５】
【課題を解決するための手段】
この発明にかかわる集合管継手では、上記の課題を解決するために以下のように構成するものである。即ち、
少なくとも１個の横枝管継手口を有するとともに、上部に立て管を接続する立て管継手部を有して形成され、
前記立て管継手部の外周面に、少なくとも２個の駒状の耳状片が、管軸に対して相対する位置に、水平方向に突起するように形成され、
前記立て管継手部の上端部には前記耳状片に連接された径大部が形成され、前記耳状片の外周縁は前記径大部より外方に突出して形成されていることを特徴とするものである。
【０００９】
【発明の実施の形態】
以下、この発明の一実施の形態を図面に基づいて説明する。なお、本実施の形態で説明する集合管継手は、特に、生活排水として使用される排水管について説明するものであるが、本発明はこれに限定されるものではなく、「排水」は他の液体や汚物、あるいは異物を含むものである。
【００１０】
図１は、集合管継手（以下、管継手という）１の全体図を示すものであり、管継手１は、上端部に管軸に平行に形成される上部排水立て管継手口（以下、上部立て管継手口という）１１を有する上部立て管継手部（以下、上部継手部という）１２と、上部継手部１２の下方に配置され少なくとも１個の横枝管継手口１３を有する横枝管継手部１４と、横枝管継手部１４の下方に配置される胴体部１５と、胴体部１５の下方に配置され下部立て管継手口１６を有する下部立て管継手部１７とを有して形成されている。
【００１１】
上部継手部１２は、胴体部１５より小径に形成されるとともに、上端部外周面には上部継手部１２より大径に形成される径大部１２ａが形成され、径大部１２ａの下方には、図２に示すように、径大部１２ａの下面に連接するように、２個の耳状片１８が、管軸に対して相対する位置に水平方向に突起するように形成されている。
【００１２】
耳状片１８は、管継手１を鋳造して成形する際に、型合わせ面に形成される継ぎ面部（以下、パーティングという）を中心にして左右対称の位置に２か所形成され、外周縁は上部立て管継手口１１の外周縁と同心上に形成されている。耳状片１８の大きさ（外径・幅・厚み）は、後述の支持具で管継手１を支持する際に管継手１から受ける負荷に耐えることのできる強度を有して形成されていればよい。従って、耳状片１８の幅は、図２のように駒状に形成してもよく、またパーティングを除いて略全周にわたって形成してもよい。
【００１３】
この耳状片１８の形成によって、後述の支持具で支持されるだけではなく、管継手１を移動する際に手で持ち運ぶことができる。
【００１４】
さらに、耳状片１８は、上部継手部１２の径大部１２ａと横枝管継手部１４との間に配置されていればいずれかの位置に形成されてもよい。しかし、耳状片１８の下方から上方への負荷を考慮すると、図１に示すような耳状片１８の上端部に径大部１２ａが連接して形成されていることが望ましい。
【００１５】
また、上部継手部１２には、２個の耳状片に代って、図３に示すように、全周にわたって環状つば部１８ａが形成されていてもよい。環状つば部１８ａは、図３の実線で示すように径大部１２ａの下部に設けてもよく、また、二点鎖線で示すように上部継手部１２内であれば、径大部１２ａから間隔を有して下方の位置に形成されるものであってもよい。この場合、上部継手部１２には後述の支持バンドで把持するスペースが形成される。
【００１６】
横枝管継手部１４及び胴体部１５及び下部立て管継手部１７は特に限定するものではなく、従来からよく知られたものを使用できるが、本形態においては図１に示す管継手１を例示している。
【００１７】
横枝管継手部１４に配置されている横枝管継手口１３は、横枝管継手部１４に対して水平方向に向かって略同一高さ位置に９０°間隔を有して２個形成されている。各横枝管継手口１３の径は略同径でもよく一方が大径であっても構わない。
【００１８】
胴体部１５は、立て管と横枝管から排水される排水液あるいは排水物が集中して流入されるために上部継手部１２より大径に形成され、図４に示す使用状態においては、スラブ２のスリーブ孔３に挿通されてモルタル４等で埋め戻しされる。さらに胴体部１５の下部は、流入された排水液あるいは排水物を下方の立て管に流出するためにテーパ状のガイド部１５ａが形成され下部立て管継手部１７に連接される。
【００１９】
上記のように形成される管継手１は、図４に示すように、集合住宅等に設置される。管継手１はスラブ２に形成されたスリーブ孔３にその胴体部１５の一部がモルタル４で埋設され、上部の上部立て管継手口１１及び下部の下部立て管継手口１６に立て管５が垂直状態を維持して接続されている。
【００２０】
一方、スラブ２上には、例えば図示しない大便器や流し台あるいは浴室または洗濯場から配管される排水横枝管（以下、横枝管という）６が、スラブ２上の最低限の位置を這うように横枝管継手口１３に接続している。そして、スラブ２に埋設された管継手１は、スラブ２上に配置された支持具２０により耳状片１８を支持することによってその荷重が支持される。
【００２１】
支持具２０は、特に限定するものでなく、スラブ２上に設置され管継手１の耳状片１８の下面を支持できる構成のものであればよく、本形態においては、図４〜５に示すように、管継手１の上部継手部１２を把持する支持バンド２１と、スラブ２上に配置される支持体２５と、支持バンド２１と支持体２５と連結するねじ部材２９と、を有して構成されている。
【００２２】
支持バンド２１は、図５に示すように、対向する位置に分割して配置される２個の片バンド部材２２がボルト２３で締結することによって一体に形成され、管継手１への取付部２１ａと取付部２１ａから延設するアーム部２１ｂとを有している。
【００２３】
片バンド部材２２は、中央部に、取付部２１ａを構成するための円弧状に形成された半円取付部２２ａと、両側部に、アーム部２１ｂを構成するための波状に形成された波状アーム部２２ｂとを有して形成されている。２個の片バンド部材２２をボルト２３で締結すると、半円取付部２２ａは管継手１の上部継手部１２と略同一径に形成される支持バンド２１の取付部２１ａとして形成され、波状アーム部２２ｂは複数のねじ挿通孔２１ｃを有する支持バンド２１のアーム部２１ｂとして形成される。
【００２４】
なお、各片バンド部材２２の取付部２２ａの内周面にゴムシート２４を貼着すれば、管継手１の振動を吸収することができる。また、片バンド部材２２のアーム部２２ｂを、波状に形成するものでなく直線状に形成してもよい。その場合、先端部は、内側に向かって円弧状に形成すればよい。これによって２個のバンド部材２２を一体的に取り付けると長孔状のボルト挿通孔２１ｃが形成される。
【００２５】
支持体２５は、一般片鋼（アングル）で形成された壁体２６と、アンカボルトでスラブ２上に固定される底板２７と、ねじ部材２９を挿通支持する上板２８とで形成されている。壁体２６の形状は限定されるものではなく管継手１を支持するための適する強度を有するように形成されていればよく、底板２７には、支持体２５がスリーブ孔３を回避した位置のスラブ２上にアンカボルトを打設するために、長孔の挿通孔が形成されれば好ましく、また、上板２８には、ねじ部材２９を挿通するための孔が位置調整可能に形成されていれば好ましい。上板２８を挿通するねじ部材２９は、上板２８の両側からナットで止着される。
【００２６】
また、支持具は、図６に示すようなものであってもよい。この支持具３０は、スラブ２上に配置される支持体３１と支持体３１にビニルテープを挟んで止着するＵバンド３５とからなり、支持体３１は、アングルで形成された２個の脚部３２と、アングルで形成され２個の脚部３２を連結する横杆３３とを有して形成されている。脚部３２には図示しないアンカボルトが位置調整可能に打設できる長孔が形成され、横杆３３には、Ｕボルト３５のねじ部を挿通する孔が２か所に形成されている。
【００２７】
Ｕボルト３５は、耳状片１８の下面を当接するように管継手１の上部継手部１２を係止して横杆３３に装着し、２個のナット３６、３６で締結することによって横杆３３に止着される。
【００２８】
次に、本形態の管継手１に立て管５を接続して支持具２０で支持する方法を説明する。立て管５が接続された管継手１は、スラブ２のスリーブ孔３内に挿通されるとともにモルタル等で埋め戻しされてスラブ２に強固に固定されている。この状態では、管継手１は垂直状態を維持するように位置決めされている。
【００２９】
この状態で、支持バンド２１を管継手１の上部継手部１２に装着する。その際、２個に分割された片バンド部材２２の上面を、上部継手部１２に形成された耳状片１８の下面に当接するようにして、片バンド部材２２を上部継手部１２の両側から係合させボルト２３で締結する。これによって一体化された支持バンド２１のアーム部２１ｂには複数の挿通孔２１ｃが形成されることになる。
【００３０】
次に、支持体２５の位置に合わせて、ねじ部材２９をアーム部２１ｂのいずれかの挿通孔２１ｃと支持体２５の上板２８に挿通させ、それぞれナットで固着する。そして、支持体２５をアンカボルトでスラブ２に固定する。
【００３１】
従って、上記の管継手１の支持方法は、スラブ上面で装着作業を行なえるので手間をかけることなく容易に支持することができる。しかも、上部継手部１２に形成された耳状片１８を支持することによって安定した設置状態を維持することができる。
【００３２】
図９に示す管継手４０は、横枝管継手口が上下に２段に形成されるものであって、この管継手４０にも２個の耳状片が設けられている。管継手４０は、上部立て管継手口４１を有する上部継手部４２と、上方に配置される大径の横枝管継手口４３Ａと下方に９０°の位相で配置される小径の横枝管継手口４３Ｂを有する横枝管継手部４４とテーパ管部４５ａを有する胴体部４５と下部立て管継手口４６を有する下部立て管継手部４７と、を有して形成されている。
【００３３】
上部継手部４２は、図１に示される前述の形態と同様に、胴体部４５より小径に形成されるとともに、上端部外周面には上部継手部４２より大径に形成される径大部４２ａが形成され、径大部４２ａの下方には、図２と同様に、径大部４２ａの下面に連接するように、２個の耳状片４８が、管軸に対して相対する位置に水平方向に突起するように形成されている。
【００３４】
なお、この管継手４０においても、前述の形態と同様に、耳状片４８に代わって環状つば部を形成することもできる。
【００３５】
この管継手４１は、例えば、図１０に示すように、支持具６０で支持される。支持具６０は、管継手１の上部継手部１２を把持する支持バンド６１と、スラブ２上に防振部材７０を介して配置される支持体６５と、支持バンド６１と支持体６５と連結するねじ部材６９と、を有して構成されている。支持バンド６１及びねじ部材６９は前述の支持バンド２１及びねじ部材６９と同様に形成され、支持体６５は、横枝管継手部４４が上下方向に長く形成された分、支持体６３の壁体６６を上方に延設するように形成し、底板６７はアンカボルト７１をスラブ２上の最適な位置に打設するために調整可能な長孔を形成し、上板６８はねじ部材６９を挿通するための孔を有してねじ部材をナットで止着できるように形成する。従って、この支持具６０はスラブ２上から上方に突出する管継手が長くなっても、管継手の自重を壁体６６で受けることができるため、従来のように例えば、長ボルトで支持するものに比べて、長ボルトの座屈を起こすことはない。
【００３６】
【発明の効果】
本発明によれば、集合管継手は、少なくとも１個の横枝管継手口を有してスラブ上に突出されるとともに、上部に立て管を接続する立て管継手部を有して形成され、前記立て管継手部の外周面に環状つば部が形成され、前記環状つば部の下面が、前記スラブ上に配設される支持具に支持可能に形成されている。従って、スラブの上方で支持具を装着することができ、従来と比べて容易な作業を行なうことができるとともに、集合管継手と立て管の自重による負荷を支持具で受けることができ、管継手を安定して設置することができる。
【００３７】
また、この集合管継手は、少なくとも１個の横枝管継手口を有してスラブ上に突出されるとともに、上部に立て管を接続する立て管継手部を有して形成され、前記立て管継手部の外周面に、少なくとも２個の耳状片が、管軸に対して相対する位置に、水平方向に突起するように形成されている。前記集合管継手を支持する際は、スラブ上面に配設する支持具の一部を前記耳状片の下面に当接するように行なう。そのため、スラブの上方で作業を行なうことができ、従来と比べて極めて容易に作業することができる。しかも、前記耳状片を手で持ち上げることができ、管継手の移動を容易にすることができる。
【００３８】
さらに、この集合管継手の支持方法は、少なくとも１個の横枝管継手口を有してスラブ上に突出されるとともに、上部に立て管を接続する立て管継手部を有して形成され、前記立て管継手部の外周面に、少なくとも２個の耳状片が、管軸に対して相対する位置に、水平方向に突起するように形成され、前記スラブ上に配設される支持具が、前記耳状片の下面を当接するように支持している。従って、スラブの上方で支持具を装着することができ、従来と比べて容易な作業を行なうことができるとともに、集合管継手の安定した支持を維持することができる。
【００３９】
また、管継手を支持する支持具は、少なくとも１個の横枝管継手口を有してスラブ上に突出されるとともに、上部に立て管を接続する立て管継手部を有して形成され、前記立て管継手部の外周面に、少なくとも２個の耳状片が、管軸に対して相対する位置に、水平方向に突起するように形成される集合管継手を支持する支持具であって、前記支持具が、前記立て管継手部を把持する把持手段と、前記スラブ上に配設されるとともに板状の壁体を含む支持脚と、前記把持手段と前記支持脚とを連結するねじ部材と、を有して構成されている。従って、この支持具は、スラブ上から耳状片との間の距離が長い管継手を支持することになっても管継手の自重を前記壁体で受けることができ、さらに安定した支持を得ることができる。
【図面の簡単な説明】
【図１】本発明の一形態による管継手を示す全体図
【図２】図１の耳状片を示す平面図
【図３】耳状片に代わる環状つば部を形成した管継手の形態を示す簡略図
【図４】図１における管継手を集合住宅の一部に使用した状態を示す図
【図５】図１における支持具のバンド部材を示す平面図
【図６】支持具の別の形態を示す断面図
【図７】従来の立て管の支持方法を示す簡略図
【図８】従来の立て管の別の支持方法を示す簡略図
【図９】本発明の別の形態による管継手を示す全体図
【図１０】図９の管継手を別の形態の支持具で支持する方法を示す図
【符号の説明】
１…管継手（集合管継手）
２…スラブ
５…立て管
１１…上部立て管継手口
１２…上部継手部
１２ａ…径大部
１３…横枝管継手口
１４…横枝管継手部
１５…胴体部
１６…下部立て管継手口
１７…下部立て管継手部
１８…耳状片
１８ａ…環状つば部
２０…支持具
２１…支持バンド
２５…支持体
２９…ねじ部材
６０…支持具
６１…支持バンド（把持手段）
６５…支持体
６６…壁体
６９…ねじ部材
【図１】
0004155649.tif 000002
【図２】
0004155649.tif 000003
【図３】
0004155649.tif 000004
【図４】
0004155649.tif 000005
【図５】
0004155649.tif 000006
【図６】
0004155649.tif 000007
【図７】
0004155649.tif 000008
【図８】
0004155649.tif 000009
【図９】
0004155649.tif 000010
【図１０】
0004155649.tif 000011